(57)【要約】【課題】  伝送スループットを向上可能なデジタル通信装置及びデジタル通信システムを提供する。【解決手段】  本発明に係るデジタル通信システムは、第１及び第２の通信路Ｌ１，Ｌ２を介して互いにデータを送受信する第１及び第２の通信装置１，２を備えている。第２の通信装置２から第１の通信路Ｌ１を介して第１の通信装置１に到達した信号に基づいて、第１の通信装置１から第２の通信路Ｌ２を介して第２の通信装置２にデータを送信する際の変調方式、符号化率及び送信電力を選択するため、最も伝送効率のよい送信条件を設定でき、単位時間当たりの伝送速度の向上、すなわち伝送スループットの向上が図れる。【選択図】  図１
2005057670.tif 000002
【特許請求の範囲】
【請求項１】
他の通信装置からの受信信号が複数の信号系列の候補それぞれに該当する確からしさを示す尤度を算出する復号手段と、
前記算出された尤度のうち最も確からしい尤度とそれ以外の尤度との差分及び比率を表す相対尤度を算出する相対尤度算出手段と、
前記算出された相対尤度に基づいて、前記他の通信装置に次回送信する信号の変調方式、符号化率及び送信電力の少なくとも一つからなる送信条件を決定する送信条件決定手段と、を備えることを特徴とするデジタル通信装置。
【請求項２】
前記送信条件決定手段は、最も確からしい尤度と、それ以外の尤度の平均値、最大値及び最小値の少なくとも一つと、の差分及び比率を表す相対尤度を算出することを特徴とする請求項１に記載のデジタル通信装置。
【請求項３】
前記送信条件決定手段は、
前記算出された相対尤度に基づいて、次回送信する信号の変調方式を選択する変調方式選択手段と、
前記算出された相対尤度に基づいて、次回送信する信号の符号化率を選択する符号化率選択手段と、
前記算出された相対尤度に基づいて、次回送信する信号の送信電力を選択する送信電力選択手段と、を有することを特徴とする請求項１または２に記載のデジタル通信装置。
【請求項４】
前記変調方式選択手段、前記符号化率選択手段及び前記送信電力選択手段の選択結果を記憶する記憶手段を備え、
所定の時間が経過した場合、あるいは所定の条件を満たす場合に、前記変調方式選択手段、前記符号化率選択手段及び前記送信電力選択手段の選択内容を切り替えるとともに、前記記憶手段の記憶内容を更新することを特徴とする請求項３に記載のデジタル通信装置。
【請求項５】
前記符号化率選択手段で選択された符号化率に基づいて、他の通信装置に送信すべき信号を符号化する符号化手段と、
前記変調方式選択手段で選択された変調方式に基づいて、前記符号化手段で符号化された信号を変調し、かつ前記送信電力選択手段で選択された送信電力で送信する変調手段と、を備えることを特徴とする請求項３または４に記載のデジタル通信装置。
【請求項６】
前記受信信号を送信した他の通信装置に送信すべき信号に、前記送信条件決定手段で決定した送信条件を含めて送信するデータ変換手段を備えることを特徴とする請求項１及至５のいずれかに記載のデジタル通信装置。
【請求項７】
他の通信装置から送信されて受信された前記受信信号を復調する復調手段を備え、
前記復号手段は、前記復調手段で復調された信号が複数の信号系列の候補のいずれに該当するかを決定し、
前記相対尤度算出手段は、前記復号手段の復号結果に基づいて前記相対尤度を算出することを特徴とする請求項１及至６のいずれかに記載のデジタル通信装置。
【請求項８】
他の通信装置に対して信号を送信する送信手段と、
前記信号を受信した他の通信装置が前記信号に基づいて決定した、前記他の通信装置が次回送信する際の変調方式、符号化率及び送信電力の少なくとも一つからなる送信条件を含むデータを受信する受信手段と、
前記受信された信号に含まれる送信条件に基づいて、前記他の通信装置に次回送信する信号の変調方式、符号化率及び送信電力の少なくとも一つを決定する送信条件決定手段と、を備えることを特徴とするデジタル通信装置。
【請求項９】
前記受信手段で受信された信号から、前記送信条件を抽出するデータ変換手段を備え、
前記送信条件決定手段は、前記抽出された送信条件に基づいて、前記他の通信装置に次回送信する信号の変調方式、符号化率及び送信電力の少なくとも一つを決定することを特徴とする請求項８に記載のデジタル通信装置。
【請求項１０】
第１及び第２の通信路を介して、互いに信号を送受信する第１及び第２の通信装置を備えたデジタル通信システムにおいて、
前記第１及び第２の通信装置の少なくとも一方は、
他の通信装置からの受信信号が複数の信号系列の候補それぞれに該当する確からしさを示す尤度を算出する復号手段と、
前記算出された尤度のうち最も確からしい尤度とそれ以外の尤度との差分及び比率を表す相対尤度を算出する相対尤度算出手段と、
前記算出された相対尤度に基づいて、前記他の通信装置に次回送信する信号の変調方式、符号化率及び送信電力の少なくとも一つからなる送信条件を決定する送信条件決定手段と、を有することを特徴とするデジタル通信システム。
【請求項１１】
第１及び第２の通信路を介して、互いに信号を送受信する第１及び第２の通信装置を備えたデジタル通信システムにおいて、
前記第１の通信装置は、
前記第２の通信装置から前記第１の通信路を介して受信した受信信号が複数の信号系列の候補それぞれに該当する確からしさを示す尤度を算出する復号手段と、
前記算出された尤度のうち最も確からしい尤度とそれ以外の尤度との差分及び比率を表す相対尤度を算出する相対尤度算出手段と、
前記算出された相対尤度に基づいて、前記他の通信装置に次回送信する信号の変調方式、符号化率及び送信電力の少なくとも一つからなる送信条件を決定する送信条件決定手段と、
前記第２の通信路を介して前記第２の通信装置に送信する信号を符号化する第１の符号化手段と、
前記第１の符号化手段で符号化された信号を、前記送信条件決定手段で決定された送信条件に基づいて変調する第１の変調手段と、を有し、
前記第２の通信装置は、
前記第１の通信装置から前記第２の通信路を介して受信した受信信号を復号する第２の復号手段と、
前記第２の通信路を介して前記第１の通信装置に送信する信号を符号化する第２の符号化手段と、
前記第２の符号化手段で符号化された信号を変調する第２の変調手段と、を有することを特徴とするデジタル通信システム。
【請求項１２】
前記送信条件決定手段は、複数の信号系列の候補それぞれの相対尤度の平均値、最大値及び最小値の少なくとも一つを用いて、次回送信する信号の変調方式、符号化率及び送信電力の少なくとも一つを決定することを特徴とする請求項１１に記載のデジタル通信システム。
【請求項１３】
前記送信条件決定手段は、
前記算出された相対尤度に基づいて、次回送信する信号の変調方式を選択する変調方式選択手段と、
前記算出された相対尤度に基づいて、次回送信する信号の符号化率を選択する符号化率選択手段と、
前記算出された相対尤度に基づいて、次回送信する信号の送信電力を選択する送信電力選択手段と、を有することを特徴とする請求項１１または１２に記載のデジタル通信システム。
【請求項１４】
前記変調方式選択手段、前記符号化率選択手段及び前記送信電力選択手段の選択結果を記憶する記憶手段を備え、
所定の時間が経過した場合、あるいは所定の条件を満たす場合に、前記変調方式選択手段、前記符号化率選択手段及び前記送信電力選択手段の選択内容を切り替えるとともに、前記記憶手段の記憶内容を更新することを特徴とする請求項３に記載のデジタル通信システム。
【請求項１５】
第１及び第２の通信路を介して、互いにデータを送受信する第１及び第２の通信装置を備えたデジタル通信システムにおいて、
前記第１の通信装置は、
他の通信装置からの受信信号が複数の信号系列の候補それぞれに該当する確からしさを示す尤度を算出する第１の復号手段と、
前記算出された尤度のうち最も確からしい尤度とそれ以外の尤度との差分及び比率を表す相対尤度を算出する相対尤度算出手段と、
前記算出された相対尤度に基づいて、前記他の通信装置に次回送信する信号の変調方式、符号化率及び送信電力の少なくとも一つからなる送信条件を決定する第１の送信条件決定手段と、
前記決定された送信条件を含むデータを、前記第２の通信路を介して、前記第１の送信条件決定手段で決定された送信条件にて送信する第１の送信手段と、を有し、
前記第２の通信装置は、
前記第１の通信装置から前記第２の通信路を介して送信されたデータに含まれる送信条件を抽出する送信条件抽出手段と、
前記抽出された送信条件に基づいて、前記第１の通信路を介して前記第１の通信装置にデータを送信する際の送信条件を決定する第２の送信条件決定手段と、
前記第１の通信路を介して、前記第２の送信条件決定手段で決定された送信条件にてデータを送信する第２の送信手段と、を有することを特徴とするデジタル通信システム。
【請求項１６】
前記送信条件決定手段は、複数の信号系列の候補それぞれの相対尤度の平均値、最大値及び最小値の少なくとも一つを用いて、次回送信する信号の変調方式、符号化率及び送信電力の少なくとも一つを決定することを特徴とする請求項１１に記載のデジタル通信システム。
【請求項１７】
前記送信条件決定手段は、
前記算出された相対尤度に基づいて、次回送信する信号の変調方式を選択する変調方式選択手段と、
前記算出された相対尤度に基づいて、次回送信する信号の符号化率を選択する符号化率選択手段と、
前記算出された相対尤度に基づいて、次回送信する信号の送信電力を選択する送信電力選択手段と、を有することを特徴とする請求項１１または１２に記載のデジタル通信システム。
【請求項１８】
前記変調方式選択手段、前記符号化率選択手段及び前記送信電力選択手段の選択結果を記憶する記憶手段を備え、
所定の時間が経過した場合、あるいは所定の条件を満たす場合に、前記変調方式選択手段、前記符号化率選択手段及び前記送信電力選択手段の選択内容を切り替えるとともに、前記記憶手段の記憶内容を更新することを特徴とする請求項３に記載のデジタル通信システム。
【請求項１９】
前記第１及び第２の通信路は、伝送特性が同一または類似することを特徴とする請求項１０及至１８のいずれかに記載のデジタル通信システム。
【発明の詳細な説明】
【技術分野】
【０００１】
本発明は、変調方式、符号化率及び送信電力などの送信条件を変更可能なデジタル通信装置に関し、例えば、無線LAN（Local Area Network）システムなどに用いられる技術を対象とする。
【背景技術】
【０００２】
変調方式、符号化率及び送信電力などの送信条件を変更可能なデジタル通信装置が知られている（特許文献１参照）。特許文献１の装置は、受信信号の受信電界強度が弱くなるほど、雑音に強い変調方式を選択し、かつ符号化率を小さくしており、これにより、通信品質の安定化とデータ伝送の実効速度の改善を図っている。逆に、受信電界強度が強い場合には、雑音に弱い変調方式を選択し、かつ符号化率を大きくしている。
【特許文献１】特開2003-174428公報
【発明の開示】
【発明が解決しようとする課題】
【０００３】
しかしながら、受信電界が強くても、信号波形が歪んでいる場合があり、このような場合は必ずしもビット誤り率がよくならない。したがって、受信電界強度だけで、画一的に変調方式や符号化率を決定するのは望ましくない。
【０００４】
また、特許文献１では、送信機や受信機の性能の違いや相性などを特に考慮に入れていないが、実際には、性能の違いや相性などにより、伝送スループットが大きく影響される。
【０００５】
本発明は、このような点に鑑みてなされたものであり、その目的は、伝送スループットを向上可能なデジタル通信装置及びデジタル通信システムを提供することにある。
【課題を解決するための手段】
【０００６】
上述した課題を解決するために、本発明は、他の通信装置からの受信信号が複数の信号系列の候補それぞれに該当する確からしさを示す尤度を算出する復号手段と、前記算出された尤度のうち最も確からしい尤度とそれ以外の尤度との差分及び比率を表す相対尤度を算出する相対尤度算出手段と、前記算出された相対尤度に基づいて、前記他の通信装置に次回送信する信号の変調方式、符号化率及び送信電力の少なくとも一つからなる送信条件を決定する送信条件決定手段と、を備える。
【０００７】
また、本発明は、他の通信装置に対して信号を送信する送信手段と、前記信号を受信した他の通信装置が前記信号に基づいて決定した、前記他の通信装置が次回送信する際の変調方式、符号化率及び送信電力の少なくとも一つからなる送信条件を含むデータを受信する受信手段と、前記受信された信号に含まれる送信条件に基づいて、前記他の通信装置に次回送信する信号の変調方式、符号化率及び送信電力の少なくとも一つを決定する送信条件決定手段と、を備える。
【発明の効果】
【０００８】
以上詳細に説明したように、本発明によれば、他の通信装置からの受信信号の相対尤度に基づいて次回送信時の送信条件を決定するため、適切な送信条件を設定でき、伝送スループットの向上が図れる。
【発明を実施するための最良の形態】
【０００９】
以下、本発明に係るデジタル通信装置及びデジタル通信システムについて、図面を参照しながら具体的に説明する。
【００１０】
（第１の実施形態）
図１は本発明に係るデジタル通信システムの第１の実施形態の概略構成を示すブロック図である。図１のデジタル通信システムは、第１及び第２の通信路Ｌ１，Ｌ２を介して互いにデータを送受信する第１及び第２の通信装置１，２を備えている。
【００１１】
第１の通信路Ｌ１は、第２の通信装置２から第１の通信装置１にデータを送信するものであり、第２の通信路Ｌ２は、第１の通信装置１から第２の通信装置２にデータを送信するものである。第１及び第２の通信路Ｌ１，Ｌ２は、図１のように別個に設けられていてもよいし、同一の通信路を送受信で共用してもよい。
【００１２】
第１の通信装置１は、送信用データに対して誤り訂正符号化を行って符号化データを生成する符号化部３と、符号化部３で符号化したデータを第２の通信路Ｌ２に適した送信データに変調する変調部４と、送信データの変調方式を選択する変調方式選択部５と、符号化データの符号化率を選択する符号化率選択部６と、送信データの送信電力を設定する送信電力選択部７と、第１の通信路Ｌ１を介して受信したデータを復調して復調データを生成する復調部８と、復調データから元のデータを復号する復号部９と、相対尤度算出部１０とを有する。
【００１３】
第２の通信装置２は、送信用データに対して誤り訂正符号化を行って符号化データを生成する符号化部１１と、符号化データを第１の通信路Ｌ１に適した送信データに変調する変調部１２と、第２の通信路Ｌ２を介して受信したデータを復調して復調データを生成する復調部１３と、復調データから元のデータを復号する復号部１４とを有する。
【００１４】
第１の通信装置１内の復号部９は、複数の候補系列それぞれごとに、確からしさを示す尤度を算出し、最も確からしい系列を選択して受信データを抽出する。また、復号部９は、算出した複数の候補系列それぞれの尤度を、相対尤度算出部１０に供給する。
【００１５】
相対尤度算出部１０は、最も尤度の高い系列を算出する。すなわち、最も確からしく、かつ受信データに寄与する系列の尤度とこれ以外の系列の尤度との差及び比の少なくとも一つ以上（相対尤度）を算出する。算出した相対尤度は、変調方式選択部５、符号化率選択部６及び送信電力選択部７の少なくとも一つ以上に供給される。
【００１６】
変調方式選択部５は、相対尤度が予め定めたしきい値より大きければ、次の送信時に伝送量の大きい（伝送速度が高い）変調方式を選択し、相対尤度が予め定めたしきい値より小さければ、次の送信時に伝送量の小さい（伝送速度が低い）変調方式を選択する。
【００１７】
相対尤度が大きいことは、第２の通信装置２の送信部の歪、第１の通信装置１の受信部の歪、第１及び第２の通信装置１，２の間に存在する通信路の歪及び雑音が総合的に良好な状態であることを意味している。
【００１８】
一般に、伝送量の小さい変調方式は、送信機、受信機及び通信路の歪や雑音に強く、逆に、伝送量の大きい変調方式は、歪や雑音に弱く、歪や雑音が存在する場合には、受信誤りが発生しやすい。
【００１９】
変調方式としては、例えば、BPSK（Binary Phase Shift Keying）、QPSK（Quadrate Phase Shift Keying）、16QAM（16 Quadrate Amplitude Modulation）及び64QAM（64 Quadrate Amplitude Modulation）などがよく用いられる。伝送速度は、BPSK＜QPSK＜16QAM＜64QAMであり、歪及び雑音に対する耐性は、BPSK＞QPSK＞16QAM＞64QAMである。
【００２０】
変調方式選択部５は、歪や雑音が小さい場合には、歪や雑音に対する耐性は低いが伝送量の大きい（伝送速度が速い）変調方式を選択し、歪や雑音が大きい場合には、伝送量は小さいが歪や雑音に強い変調方式を選択することができる。これにより、伝送スループットの向上が図れる。
【００２１】
同様に、符号化率選択部６は、相対尤度が予め定めたしきい値より大きければ、次の送信時に高符号化率を選択し、相対尤度が予め定めたしきい値より小さければ、次の送信時に低符号化率を選択する。
【００２２】
一般に、高符号化率は、データの伝送量が大きいことを意味するが、歪や雑音に弱く、受信誤りが起こりやすい。逆に、低符号化率は、データの伝送量が小さいものの、歪や雑音に強い。
【００２３】
畳込み符号は、一般の通信システムでよく用いられる符号化方式であり、符号化率として、1/2、2/3及び3/4が用いられる。伝送量は、1/2＜2/3＜3/4であり、歪や雑音に対する耐性は、1/2＞2/3＞3/4である。
【００２４】
以上を鑑みて、符号化率選択部６は、歪や雑音が小さい場合には、歪や雑音に対する耐性は低いものの、伝送量の大きい符号化率を選択し、歪や雑音が大きい場合には、伝送量は小さいが歪や雑音が存在しても誤りにくい符号化率を選択する。
【００２５】
送信電力選択部７は、相対尤度が予め定めた閾値より大きければ、次の送信時に小さい送信電力を選択し、相対尤度が予め定めた閾値より小さければ、次の送信時に大きい送信電力を選択する。一般に、送信電力を小さくすると、送信機の消費電力が小さくなる点で好ましいが、受信機における SNR (Signal to Noise ratio) が小さくなるため、受信誤りが起こりやすくなる。逆に、送信電力を大きくすると、送信機の消費電力が増えるが、受信機における SNRが大きくなり、受信誤りが起こりにくくなる。
【００２６】
以上より、送信電力は、受信機側で受信誤りが起きない範囲でなるべく小さくしたいという要求がある。本実施形態のように、相対尤度に応じて送信電力を選択すれば、要求に合った送信電力を選択することができる。また、無線通信時に送信電力を大きくすると、同種の通信システムの他の通信局、あるいは、他の無線システムに対する干渉を大きくする可能性があるが、本実施形態によれば、必要に応じて送信電力を制御するため、自システムの通信品質を低下させることなく、他システムに対する干渉を抑圧する効果も持つ。
【００２７】
上述した説明では、変調方式、符号化率及び送信電力を独立に選択する例を示したが、これらの少なくとも二つ以上の組み合わせを一括して選択してもよい。具体的には例えば、「変調方式がBPSK、符号化率が1/2 、送信電力が -10dBm」で構成される組み合わせAと、「変調方式がQPSK、符号化率が3/4、送信電力が -15dBm」で構成される組み合わせBと、「変調方式が64QAM、符号化率が2/3、送信電力が -20dBm」で構成される組み合わせCと、組み合わせAと組み合わせBを区別する閾値１と、組み合わせBと組み合わせCを区別する、閾値１より大きい閾値２を予め定め、相対尤度が閾値２より大きければ、組み合わせCを選択し、相対尤度が閾値１より大きく閾値２以下であれば、組み合わせBを選択し、相対尤度が閾値１以下であれば、組み合わせAを選択する構成が考えられる。
【００２８】
このように、変調方式、符号化率及び送信電力の複数の組合せを用意しておき、いずれかの組を選択すれば、変調方式、符号化率及び送信電力を一括選択でき、通信装置の構成を簡略化でき、かつ、伝送スループットの向上が図れる。また、変調方式、符号化率及び送信出力を相手局に通知する要求がある場合には、この通知に要する通知量を削減することができ、実質的なスループット向上が図れる。
【００２９】
図２は、相対尤度算出部１０、変調方式選択部５、符号化率選択部６及び送信電力選択部７のより詳細な動作の一例を説明する図であり、図２（ａ）及び図２（ｂ）は互いに異なる例を示しており、いずれの例でも、候補系列１の尤度が最も大きくて、この候補系列１が選択される場合を示している。
【００３０】
図２（ａ）の候補系列１の尤度「31」は、他の候補系列２〜４の尤度の平均値31-(1+5+3)/3=28よりも大きいため、変調方式選択部５は伝送量の大きな変調方式を選択し、符号化率選択部６は高符号化率を選択し、送信電力選択部７は送信電力を低くする。
【００３１】
図２（ｂ）の候補系列２の尤度「15」は、他の候補系列２〜４の尤度の平均値15-(12+6+9)/3=6よりも大きいため、変調方式選択部５は伝送量の小さな変調方式を選択し、符号化率選択部６は低符号化率を選択し、送信電力選択部７は送信電力を大きくする。
【００３２】
なお、変調方式、符号化率及び送信電力の決定手法は、図２に説明した手法に限定されない。最も確からしい尤度とそれ以外の尤度との差分により判断する代わりに、両者の比率により判断してもよい。この場合、比率が所定の基準値より大きいか否かで、変調方式、符号化率及び送信電力を決定すればよい。
【００３３】
また、図２では、最も確からしい尤度を、それ以外の尤度の平均値と比較しているが、平均値の代わりに、それ以外の尤度の最大値や最小値と比較して相対尤度を算出してもよい。
【００３４】
図１に点線で示すように、第１の通信装置１内に、変調方式選択部５、符号化率選択部６及び送信電力選択部７の選択結果を記憶する記憶部２０を設け、所定時間が経過した場合や所定の条件を満たす場合に、変調方式選択部５、符号化率選択部６及び送信電力選択部７の選択内容を切替えて、その切替え内容に応じて記憶部２０の記憶内容を更新してもよい。
【００３５】
これにより、必要に応じて、変調方式、符号化率及び送信電力を記憶部２０から読み出して設定することができ、送信条件の設定に要する時間を短縮できる。
【００３６】
このように、第１の実施形態では、第２の通信装置２から第１の通信路Ｌ１を介して第１の通信装置１に到達した信号に基づいて、第１の通信装置１から第２の通信路Ｌ２を介して第２の通信装置２にデータを送信する際の変調方式、符号化率及び送信電力を選択するため、最も伝送効率のよい送信条件を設定でき、単位時間当たりの伝送速度の向上、すなわち伝送スループットの向上が図れる。また、通信路の伝達特性が変動しても、その変動分を考慮に入れて新たな変調方式、符号化率及び送信電力を設定できるため、通信路の伝達特性の変動による影響を受けなくなる。
【００３７】
特に、本実施形態によれば、第１及び第２の通信装置１，２の歪、第１及び第２の通信路Ｌ１，Ｌ２の歪及び雑音の影響を総合的に判断して、適切な変調方式、符号化率及び送信電力を選択するため、この種の歪の影響を総合的に判断しない従来の技術よりも確実に伝送スループットを向上できる。
【００３８】
また、適切な送信電力を設定できるため、他の局に対する干渉を抑制できる。
【００３９】
本実施形態の場合、第１の通信路Ｌ１の伝達特性に基づいて第２の通信路Ｌ２の伝達特性を決定するため、第１及び第２の通信路Ｌ１，Ｌ２の伝達特性が同一か類似しているのが望ましい。より具体的には、第１及び第２の通信路Ｌ１，Ｌ２の距離や配置場所を一致させるのが望ましい。また、第１の通信装置１が送信時に用いる符号化方法と第２の通信装置２が送信時に用いる符号化方法も同一か類似しているのが望ましい。符号化方法が異なると、伝送スループットが変化するためである。
【００４０】
（第２の実施形態）
第２の実施形態は、第１の通信装置が決定した送信条件に合わせて、第２の通信装置が送信条件を設定するものである。
【００４１】
図３は本発明に係るデジタル通信システムの第２の実施形態の概略構成を示すブロック図である。図３では、図１と共通する構成部分には同一符号を付しており、以下では相違点を中心に説明する。
【００４２】
図３のデジタル通信システムは、図１と同様に、第１及び第２の通信路Ｌ１，Ｌ２を介して互いにデータを送受信する第１及び第２の通信装置１，２を備えている。
【００４３】
図３の第１の通信装置１は、図１の符号化部３の代わりにデータ変換部２１を有する。データ変換部２１は、相対尤度算出部１０で算出された相対尤度、あるいは変調方式選択部５、符号化率選択部６及び送信電力選択部７の選択情報を、外部からのデータと合成する処理を行う。
【００４４】
データ変換部２１で合成されたデータは、変調部４で変調されて、第１の通信路Ｌ１を介して第２の通信装置２に送信される。
【００４５】
図３の第２の通信装置２は、図１の復号部１４の代わりにデータ変換部２２を有し、それ以外に、変調方式選択部２３、符号化率選択部２４及び送信電力選択部２５を有する。
【００４６】
データ変換部２１は、第１の通信装置１から送信されたデータの中から、相対尤度あるいは第１の通信装置１内の変調方式選択部５、符号化率選択部６及び送信電力選択部７の選択情報を抽出する。そして、データ変換部２１での抽出結果に基づいて、第２の通信装置２内の変調方式選択部２３、符号化率選択部２４及び送信電力選択部２５は、第２の通信装置２から第１の通信装置１に送信する際の変調方式、符号化率及び送信電力の少なくとも一つを選択する。
【００４７】
以上により、第２の通信装置２は、第１の通信装置１が設定した送信条件に合致する送信条件を設定することができる。
【００４８】
このように、第２の実施形態では、第１の通信装置１が算出した相対尤度、あるいは第１の通信装置１が選択した変調方式、符号化率及び送信電力の選択情報に基づいて、第２の通信装置２内で送信条件を決定するため、第１及び第２の通信装置１，２の送信条件を合致させることができ、伝送スループットを向上できる。また、第２の実施形態によれば、より適切な変調方式、符号化率及び送信電力を選択できるため、他の通信装置からの干渉を抑制することができる。
【図面の簡単な説明】
【００４９】
【図１】本発明に係るデジタル通信システムの第１の実施形態の概略構成を示すブロック図。
【図２】（ａ）（ｂ）は相対尤度算出部１０、変調方式選択部５、符号化率選択部６及び送信電力選択部７のより詳細な動作の一例を説明する図。
【図３】本発明に係るデジタル通信システムの第２の実施形態の概略構成を示すブロック図。
【符号の説明】
【００５０】
１  第１の通信装置
２  第２の通信装置
３  符号化部
４  変調部
５  変調方式選択部
６  符号化率選択部
７  送信電力選択部
８  復調部
９  復号部
１０  相対尤度算出部
１１  符号化部
１２  変調部
１３  復調部
１４  復号部
【図１】
2005057670.tif 000003
【図２】
2005057670.tif 000004
【図３】
2005057670.tif 000005